(57)【要約】  ラジオ周波数コイルは、機能的なラジオ周波数回路１００、１００'及びトラップラジオ周波数回路１１０、１１０'を有する。機能的なラジオ周波数回路は、磁気共鳴周波数に同調され、空間的な関心領域に磁気共鳴を生成すること又は前記関心領域から磁気共鳴を受信することの少なくとも一方を行うように空間的に構成される。トラップラジオ周波数回路は、選択された周波数を阻止するように同調され、機能的なラジオ周波数回路とともに配置される。トラップラジオ周波数回路は、機能的なラジオ周波数回路及びトラップラジオ周波数回路が一緒に結合される第１の端部１２２、１２２'と、ほぼ線形の伝送線路が終端インピーダンス１３６によって終端される第２の端部１２４と、を有する、ほぼ線形の伝送線路１２０を少なくとも有する。
2009508555.tif 000002
【特許請求の範囲】
【請求項１】
磁気共鳴周波数に同調され、空間的な関心領域に磁気共鳴を生成すること又は前記関心領域から磁気共鳴を受信することの少なくとも一方を行うように空間的に構成される、機能的なラジオ周波数回路と、
前記機能的なラジオ周波数回路と共に配置され、ほぼ線形の伝送線路を少なくとも有し、選択された周波数を阻止するように同調されるトラップラジオ周波数回路であって、前記ほぼ線形の伝送線路が、前記機能的なラジオ周波数回路及び前記トラップラジオ周波数回路が一緒に結合される第１の端部並びに前記ほぼ線形の伝送線路が終端インピーダンスによって終端される第２の端部を有する、トラップラジオ周波数回路と、
を有するラジオ周波数コイル。
【請求項２】
前記終端インピーダンスが短絡回路である、請求項１に記載のラジオ周波数コイル。
【請求項３】
前記トラップラジオ周波数回路及び前記機能的なラジオ周波数回路を選択的に一緒に結合するように動作可能なスイッチを更に有する、請求項１に記載のラジオ周波数コイル。
【請求項４】
前記磁気共鳴周波数及び前記選択された周波数が同じであり、前記トラップラジオ周波数回路が、前記結合の際、前記機能的なラジオ周波数回路の離調をもたらす、請求項３に記載のラジオ周波数コイル。
【請求項５】
前記磁気共鳴周波数及び前記選択された周波数が異なる、請求項１に記載のラジオ周波数コイル。
【請求項６】
前記ほぼ線形の伝送線路が、内部導体及び同軸に配されるシースを有し、前記内部導体及び前記シースが、前記第１の端部において前記機能的なラジオ周波数回路と接続され、前記内部導体及び前記シースが、前記終端インピーダンスによって前記第２の端部において電気的に終端される、請求項１に記載のラジオ周波数コイル。
【請求項７】
前記ほぼ線形の伝送線路が、短絡又はキャパシタンスである前記終端インピーダンスによって前記第２の端部において終端される、請求項６に記載のラジオ周波数コイル。
【請求項８】
前記ほぼ線形の伝送線路が、前記機能的なラジオ周波数回路の導体の少なくとも一部に沿って配され又は前記一部を形成する、請求項６に記載のラジオ周波数コイル。
【請求項９】
前記ほぼ線形の伝送線路が、前記機能的なラジオ周波数回路に沿って配され、前記機能的なラジオ周波数回路の前記導体が、コイルループ導体である、請求項８に記載のラジオ周波数コイル。
【請求項１０】
前記ほぼ線形の伝送線路の前記シースの外側の少なくとも一部が、前記機能的なラジオ周波数回路の前記導体の前記一部と電気的に接続され、前記シースの外側の前記少なくとも一部が、前記導体の前記一部に沿って配される、請求項８に記載のラジオ周波数コイル。
【請求項１１】
前記ほぼ線形の伝送線路の前記内部導体及び前記シースが、前記機能的なラジオ周波数回路に接続されるキャパシタの両端に接続される、請求項６に記載のラジオ周波数コイル。
【請求項１２】
前記機能的なラジオ周波数回路が、導体を有し、前記トラップラジオ周波数回路の前記ほぼ線形の伝送線路が、前記機能的なラジオ周波数回路の前記導体に沿って適合的に配される、請求項１に記載のラジオ周波数コイル。
【請求項１３】
前記機能的なラジオ周波数回路の前記導体が、曲線を規定し、前記ほぼ線形の伝送線路が、前記機能的なラジオ周波数回路の前記導体によって規定される前記曲線に適合する、請求項１２に記載のラジオ周波数コイル。
【請求項１４】
前記適合的に配されるほぼ線形の伝送線路が、
同軸ケーブル、
ストリップライン、
前記機能的なラジオ周波数回路の導体の内部空胴内に配される同軸ケーブル、及び
前記機能的なラジオ周波数回路の導体の細長い内部空胴内に配され、前記細長い内部空胴の導電性の内側壁と結合される線形導体、
のうちの１つである、請求項１２に記載のラジオ周波数コイル。
【請求項１５】
空間的な関心領域に主磁界を生成する主磁石と、
前記主磁界に選択された磁界勾配を重ねる磁界勾配コイルと、
請求項１に記載のラジオ周波数コイルと、
を有する磁気共鳴装置。
【請求項１６】
少なくとも共鳴信号を受け取る磁気共鳴コイルであって、
磁気共鳴周波数に同調され、空間的な関心領域に磁気共鳴を生成すること又は前記関心領域から磁気共鳴を受信することの少なくとも一方を行うように空間的に構成される、機能的なラジオ周波数回路と、
前記機能的なラジオ周波数回路と共に配置され、同軸ケーブルを有し、選択された周波数を阻止するように同調されるトラップラジオ周波数回路であって、前記同軸ケーブルが、内部導体及び同軸シースが前記機能的なラジオ周波数回路に電気的に接続される第１の端部並びに前記内部導体及び前記同軸シースが一緒に終端される第２の端部を有する、トラップラジオ周波数回路と、
を有するコイル。
【請求項１７】
前記同軸ケーブルの前記第２の端部が短絡終端される、請求項１６に記載のコイル。
【請求項１８】
前記同軸ケーブルが、前記機能的なラジオ周波数回路の導体に沿って配される、請求項１６に記載のコイル。
【請求項１９】
前記機能的なラジオ周波数回路の前記導体が、直線ではなく、前記同軸ケーブルが、前記導体に適合するように曲げられて配される、請求項１８に記載のコイル。
【請求項２０】
前記同軸ケーブルの前記内部導体及び前記シースが、前記機能的なラジオ周波数回路に接続されるキャパシタの両端に接続される、請求項１６に記載のコイル。
【発明の詳細な説明】
【技術分野】
【０００１】
本発明は、磁気共鳴の分野に関する。本発明は、多核磁気共鳴を取得するためのラジオ周波数コイルに関連して特定のアプリケーションを見い出し、特にそれに関して記述される。本発明は、より一般的に、磁気共鳴スペクトロスコピー、磁気共鳴イメージング、その他のための局所的なラジオ周波数コイルに関連してアプリケーションを見い出す。
【背景技術】
【０００２】
多核磁気共鳴データの取得の際、磁気共鳴は、一般に、陽子核種（１Ｈ）以外の核種から取得される。陽子画像は、基準のために及び位置特定を提供するために取得されることもできる。陽子磁気共鳴は、多核測定の実質的なデータとして取得されてもよく又は取得されなくてもよい。
【発明の開示】
【発明が解決しようとする課題】
【０００３】
３１Ｐ磁気共鳴は、その磁気共鳴が多核磁気共鳴データ取得の間に取得されることがある１つの核種である。それぞれ異なる受信ラジオ周波数コイルが、１Ｈ及び３１Ｐ磁気共鳴をそれぞれ受信するために使用される。リン受信コイルが３１Ｐ磁気共鳴周波数に同調される場合であっても、リン受信コイルは、より大きい１Ｈ励起信号によって乱されてしまうことがあるという点で、問題が生じる。
【０００４】
同様の問題が、他の磁気共鳴取得コンテクストにおいても起こりうる。例えば、陽子受信コイルは、１Ｈ励起周波数に同調される。従って、陽子コイルは、励起ラジオ周波数磁界との強いカップリングのため、磁気共鳴取得の励起フェーズの間、過剰な電流を流しうる。
【０００５】
一般に、このような問題は、ラジオ周波数コイルにＬＣトラップを設けることによって対処される。ＬＣトラップは、コイルのギャップの両端に並列に接続されるインダクタ及びキャパシタを有する共振トラップである。リンコイルの場合、例えば、ＬＣトラップは、励起磁界とのカップリングを実質的に抑制するために１Ｈ磁気共鳴周波数に同調される。陽子コイルの場合、ＬＣトラップは、１Ｈ周波数に同調され、送信フェーズ中に陽子コイルを離調させるようにＬＣトラップをコイルに結合する例えばバイアスされる直列接続のＰＩＮダイオードを有する。受信フェーズ中に、ＰＩＮダイオードは、１Ｈ陽子磁気共鳴の受信を可能にするようにＬＣトラップをコイルから切り離すために非導通にされる。
【０００６】
磁気共鳴コイル用の既存のＬＣトラップは、或る不利益を有する。インダクタは、かなりの量の導電材料を含む相対的に大きい素子であり、分光データに画像のシャドウイング又は他のひずみ、すなわちアーチファクトを生じさせうる。更に、インダクタは、かなりの浮遊電磁界を生じさせうる。このような磁界リークは、例えばバランスされたバタフライトラップのような低いリークのインダクタ設計を使用することによって低減されることができる。低いリークのインダクタ設計は、磁界リーク問題を軽減するが、排除しない。インダクタからの磁界リークは、更に、磁気共鳴画像及び分光データを歪ませる。
【０００７】
本発明は、上述した制限及びその他を克服する改善を企図する。
【課題を解決するための手段】
【０００８】
１つの見地によれば、ラジオ周波数コイルが開示される。機能的なラジオ周波数回路は、磁気共鳴周波数に同調され、空間的な関心領域に磁気共鳴を生成すること又は前記関心領域から磁気共鳴を受信することの少なくとも一方を行うように空間的に構成される。トラップラジオ周波数回路は、選択された周波数を阻止するように同調され、機能的なラジオ周波数回路と共に配置される。トラップラジオ周波数回路は、ほぼ線形の伝送線路を少なくとも有し、ほぼ線形の伝送線路は、機能的なラジオ周波数回路及びトラップラジオ周波数回路が一緒に結合される第１の端部と、ほぼ線形の伝送線路が終端インピーダンスによって終端される第２の端部と、を有する。
【０００９】
別の見地によれば、磁気共鳴装置が開示される。主磁石が、空間的な関心領域に主磁界を生成するために設けられる。磁界勾配コイルが、主磁界に選択された磁界勾配を重ねるために設けられる。機能的なラジオ周波数回路とトラップラジオ周波数回路とを有するラジオ周波数コイルが設けられる。機能的なラジオ周波数回路は、磁気共鳴周波数に同調され、空間的な関心領域に磁気共鳴を生成すること又は空間的な関心領域から磁気共鳴を受信することの少なくとも一方を行うように空間的に構成される。トラップラジオ周波数回路は、選択された周波数を阻止するように同調され、機能的なラジオ周波数回路と共に配置される。トラップラジオ周波数回路は、ほぼ線形の伝送線路を少なくとも有し、ほぼ線形の伝送線路は、機能的なラジオ周波数回路及びトラップラジオ周波数回路が一緒に結合される第１の端部と、ほぼ線形の伝送線路が終端インピーダンスによって終端される第２の端部と、を有する。
【００１０】
別の見地によれば、少なくとも共鳴信号を受信するための磁気共鳴コイルが開示される。機能的なラジオ周波数回路は、磁気共鳴周波数に同調され、空間的な関心領域に磁気共鳴を生成すること又は空間的な関心領域から磁気共鳴を受信することの少なくとも一方を行うように空間的に構成される。トラップラジオ周波数回路は、選択された周波数を阻止するように同調される。トラップラジオ周波数回路は、機能的なラジオ周波数回路と共に配置され、同軸ケーブルを有する。同軸ケーブルは、内部導体及び同軸シースが機能的なラジオ周波数回路に電気的に接続される第１の端部と、内部導体及び同軸シースが一緒に（合わさって）終端される第２の端部と、を有する。
【００１１】
１つの利点は、ラジオ周波数トラップの物理的なバルクのため、低減された磁気共鳴データひずみを有するラジオ周波数コイルを提供することにある。
【００１２】
別の利点は、誘導性トラップ素子のラジオ周波数リークのため、低減された磁気共鳴データひずみを有するラジオ周波数コイルを提供することにある。
【００１３】
別の利点は、簡略化されたラジオ周波数コイル構造にある。
【００１４】
別の利点は、ラジオ周波数コイルのトラップ回路の簡略化された同調にある。
【００１５】
当業者には、多くの付加の利点及び利益が、以下の好適な実施例の詳細な説明を読むことによって明らかになるであろう。
【００１６】
本発明は、さまざまな構成要素及び構成要素の取り合わせ並びにさまざまなプロセス動作及びプロセス動作の取り合わせの形をとりうる。図面は、好適な実施例を説明することのみを目的としており、本発明を制限するものとして解釈されるべきではない。
【発明を実施するための最良の形態】
【００１７】
図１を参照して、磁気共鳴スキャナ１０は、患者又は他の被検体を受け入れるためのボア１４又は他の受け入れ領域を有するスキャナハウジング１２を有する。スキャナハウジング１２内に配置される主磁石２０は、少なくともボア１４の関心領域に主磁界Ｂ０を生成するために主磁石コントローラ２２によって制御される。一般に、主磁石２０は、クライオシュラウド２４によって囲まれる永久超電導磁石であるが、常電導主磁石が使用されることもできる。
【００１８】
磁界勾配コイル２８は、少なくとも関心領域において、主磁界に選択された磁界勾配を重ねるために、ハウジング１２内に又はハウジング１２上に配置される。一般に、磁界勾配コイルは、ｘ勾配、ｙ勾配及びｚ勾配のような３つの直交する磁界勾配を生成するためのコイルを有する。任意に、全身ラジオ周波数コイル３０が、Ｂ１ラジオ周波数励起パルスを注入するために、図示されるようにハウジング１２内に配置され、又はスキャナ１０のボア１４内に配置される。ラジオ周波数コイル３０は、一般に、柱形であり、スキャナ１０のボア１４と同軸に配され、周囲の同軸の、一般には柱形のラジオ周波数シールド３２を有する。加えて、１又は複数の局所ラジオ周波数コイルが、全身コイル３０によって励起される磁気共鳴を受信するためにボア１４内に配置される。例示の図示される実施例において、２つの局所表面コイル４０、４２が、ボア内に配置される。局所コイル４０は、３１Ｐ磁気周波数に同調され、局所コイル４２は、１Ｈ陽子磁気共鳴周波数に同調され、従って、スキャナ１０は、１Ｈ及び３１Ｐ共鳴の双方を取得することにより多核磁気共鳴スペクトロスコピー又はイメージングを実施するように構築可能である。別々のコイル構造として図示されているが、１Ｈ及び３１Ｐコイルは、共通の基板上に取り付けられ、共通の視野を有することもできる。他の実施例において、コイルは、１Ｈ及び３１Ｐ以外の他の核種に同調される。
【００１９】
ある実施例において、各々が同じ磁気共鳴周波数に同調される１又は複数の局所コイルが設けられる（例えば、１、２、３又はそれ以上の数の局所コイルの各々が、１Ｈの陽子磁気共鳴周波数に同調される）。ある実施例において、１又は複数の局所コイルが、磁気共鳴励起のために使用され、全身コイル３０が任意に省かれる。ある実施例において、１又は複数の局所コイルは、頭部コイル、腕部コイル等を有する。
【００２０】
陽子磁気共鳴データの取得中、ラジオ周波数送信器４６は、ボア１４内に配置される被検体の関心領域に陽子磁気共鳴信号を生成するために、全身ラジオ周波数コイル３０又は別のラジオ周波数コイルに結合される。磁界勾配コントローラ４８は、生成される磁気共鳴を空間的に局所化し、空間的に符号化し又は別のやり方で操作するために、磁界勾配コイル２８を動作させる。読み出しフェーズの間、陽子コイル４２に結合される第１のラジオ周波数受信器５０は、１Ｈの陽子磁気共鳴を受信する。多核磁気共鳴測定のための１つの方法において、３１Ｐコイルは、送受信コイルであり、送信フェーズの間は、３１Ｐ磁気共鳴を励起するように同調される第２のラジオ周波数送信器５２と結合され、読み出しフェーズの間は、３１Ｐ磁気共鳴を受信する第２のラジオ周波受信器５４と結合される。一般に、磁界勾配コイル２８は更に、３１Ｐ磁気共鳴を空間的に局所化し、空間的に符号化し又は別のやり方で操作するためにも使用される。データバッファ５６は、別々のバッファエリア６０、６２に３１Ｐ及び１Ｈ磁気共鳴信号をそれぞれ記憶する。
【００２１】
取得後プロセッサ６６は、取得された磁気共鳴データを処理する。例えば、取得後プロセッサ６６は、イメージング被検体の空間的なマップ又は画像を生成するために、高速フーリエ変換（ＦＦＴ）又は他の再構成アルゴリズムを使用して空間的に符号化された磁気共鳴データを処理する画像再構成プロセッサを有しうる。取得後プロセッサ６６は、比率画像又はマップを生成するために、各々の空間ボクセルにおける３１Ｐ／１Ｈ磁気共鳴比率を決定する比率決定プロセッサを有しうる。他のタイプの取得後処理が実施されることもできる。処理されたデータのメモリ７０は、処理された空間マップ又は画像、比率データ、又は他の処理されたデータを記憶する。ユーザインタフェース７２は、処理されたデータをユーザに表示する。図１に示される例示の実施例において、ユーザインタフェース７２は、更に、磁気共鳴スキャナ１０を制御するために、ユーザをスキャナコントローラ７４とインタフェースする。他の実施例において、別個のスキャナ制御インタフェースが設けられてもよい。ユーザインタフェース７２がコンピュータである場合、取得後プロセッサ６６又は他の処理コンポーネントは、ソフトウェアコンポーネントとしてユーザインタフェース７２と一体化されることができる。
【００２２】
図２を参照して、リンラジオ周波数コイル４０が説明される。図２は、リンコイル４０を示しており、ハウジングのカバーは、基板又はハウジング部分７８上に支持されるリンコイル４０の内部素子を明らかにするために取り除かれている。これらの内部素子は、コイル導体８０、８２を含む。コイルループ導体８０、８２は、同調キャパシタ８６及びオンボードコイル電子部品９０とともに、３１Ｐ磁気共鳴周波数に同調され、ボア１４内の空間的な関心領域から３１Ｐ磁気共鳴を受信するように空間的に構成される機能的なラジオ周波数回路１００を規定する。リンコイル４０は、例えば付加のキャパシタ８８のような他の素子を含んでもよい。
【００２３】
リンコイル４０は、１Ｈ磁気共鳴信号を受信することは意図されず、１Ｈ磁気共鳴周波数において実質的な電流を流さないように設計される。この目的で、トラップラジオ周波数回路１１０が、機能的なラジオ周波数回路１００に結合される。トラップラジオ周波数回路１１０は、リンコイル４０上に機能的なラジオ周波数回路１００と共に配置され、ほぼ線形の伝送線路１２０を有する。ほぼ線形の伝送線路１２０は、機能的なラジオ周波数回路１００及びトラップラジオ周波数回路１１０が一緒に結合される第１の端部１２２と、ほぼ線形の伝送線路１２０が短絡又は他の終端インピーダンスによって終端される第２の端部１２４とを有する。キャパシタンス１２６は、コイルループ導体８２及びキャパシタ８６の間のギャップをブリッジし、キャパシタ８６は、機能的なラジオ周波数回路１００の導体８０に接続され、ほぼ線形の伝送線路１２０は、キャパシタンス１２６の両端に並列に接続される。結合されたトラップラジオ周波数回路１１０は、機能的なラジオ周波数回路１００において１Ｈ磁気共鳴周波数の電流を実質的に阻止するために、１Ｈ磁気共鳴周波数において高インピーダンスを有するように同調される。
【００２４】
引き続き図２を参照し、更に図３を参照して、図示される実施例において、ほぼ線形の伝送線路１２０は、内部導体１３０及び同軸シース１３２を含む同軸ケーブルである。内部導体１３０及び同軸シース１３２は、例えば内部導体１３０と同軸シース１３２との間の環状ギャップを埋める誘電材料（図示せず）によって、ケーブルに沿って互いに電気的に絶縁される。第１の端部１２２において、内部導体１３０及び同軸シース１３２は、コイルループ導体８２と、機能的なラジオ周波数回路１００の導体８０に接続されるキャパシタ８６と、の間のギャップに接続されるキャパシタンス１２６の両端に接続される。第２の端部１２４において、同軸ケーブルは、内部導体１３０の端の部分１３６を曲げ、それを同軸シース１３２に半田付けし又は別のやり方で電気的に接続することによって短絡終端される。短絡終端の他の物理的な実施例もまた企図され、例えば、第２の端部において内部導体及びシースの間のギャップをスパンする大きい半田バンプ又は導電エンドキャップを用いることが企図される。他の企図される実施例において、第２の端部１２４における終端インピーダンスは、短絡終端インピーダンス以外の終端インピーダンスを含むことができる。例えば、第２の端部１２４は、キャパシタンス又は開回路によって終端されることができる。
【００２５】
第１の端部１２２から分かるように、ほぼ線形の伝送線路１２０のインピーダンスは、伝送線路１２０の単位長さあたりの抵抗及び誘電特性、伝送線路１２０の長さ、及び第２の端部１２４の終端の性質の関数である。標準の伝送線路方程式が、例えば図示される短絡終端、ディスクリートの集中素子キャパシタ又は他のインピーダンス素子による終端のような、さまざまな第２の端部の終端について、ほぼ線形の伝送線路１２０のインピーダンスを評価するために使用されることができる。適切な長さの場合、ほぼ線形の伝送線路１２０は、実効インダクタンスの働きをする。ほぼ線形の伝送線路１２０によって規定される実効インダクタンスは、１Ｈ磁気共鳴周波数において高インピーダンスを有するトラップ回路を規定するために、キャパシタンス１２６の両端に並列接続される。トラップラジオ周波数回路１１０は、キャパシタンス１２６の選択によって、キャパシタンス１２６として同調可能な可変キャパシタを用いることによって、又は所望のインダクタンスが達成されるまで第２の端部１２４を切断し終端しなおすことによりほぼ線形の伝送線路１２０の長さを調整することによって、適切に微調整される。
【００２６】
実効インダクタンスは、ほぼ線形の伝送線路１２０の段階的な曲がりに影響されない。従って、図２に示されるように、ほぼ線形の伝送線路１２０は、機能的なラジオ周波数回路１００の導体８０、８２のうちの一方の曲がりに沿って適合的に配置され、曲げられることができる。図２において、ほぼ線形の伝送線路１２０は、導体８２の一部に沿っている。図３に概略的に示されるように、ほぼ線形の伝送線路１２０の同軸ケーブルの実施例の場合、トラップ電流は、内部導体１３０に沿って、及びシース１３２の内側表面に沿って流れる。トラップ電流は、シース１３２によってシールドされ、したがってラジオ周波数リークを大幅に低減する。
【００２７】
更に、シース１３２によって提供されるトラップ電流シールドのため、シース１３２の外側表面は、任意に、機能的なラジオ周波数回路１００の導体８２と電気的に接続されることができる。図２において、例えば、導電性半田ボンド１４０が、シース１３２を導体８２にしっかり固定する。この構成は、機械的な頑丈さを提供し、同軸伝送線路１２０のバルクによって、磁気共鳴のひずみを大幅に低減する。
【００２８】
図示される同軸ケーブル伝送線路１２０は一例である。他の実施例において、ほぼ線形の伝送線路は、ストリップライン、マイクロストリップライン、又は他のタイプのほぼ線形の伝送線路でありうる。ある企図される実施例において、機能的なラジオ周波数回路の導体の１つは、内部空洞を規定するほぼ中空の導体であり、ほぼ線形の伝送線路が、シールディングを提供するために内部空洞内に配される。ある企図される実施例において、内部空洞は細長く、ほぼ線形の伝送線路は、ほぼ中空の導体の細長い内部空洞内に配される線形導体を有し、それによって、機能的なラジオ周波数回路のほぼ中空の導体の導電性内側表面及び線形導体が、協働して、ほぼ線形の伝送線路を規定する。このような実施例において、線形の導体は、第２の端部終端を除いて、ほぼ中空の導体の導電性内側表面から電気的に絶縁される。
【００２９】
図４を参照して、陽子ラジオ周波数コイル４２が説明される。陽子コイル４２は、リンコイル４０と同じ構成要素のほとんどを含むとともに、陽子コイル４２を１Ｈ磁気共鳴周波数に同調させるように選択されるキャパシタンス値を有するキャパシタ８６'、８８'を有する機能的なラジオ周波数回路１００'を含む。陽子コイル４２のトラップラジオ周波数回路１１０'は、リンコイル４０の対応する回路と同様であるが、コイルループ導体８２とコイルループ導体８０に接続される同調キャパシタ８６'との間のギャップの両端に並列接続されるキャパシタンス１２６'及びほぼ線形の伝送線路１２０を有する。トラップラジオ周波数回路１１０'は、１Ｈ共鳴周波数に同調される。トラップラジオ周波数回路１１０'は、磁気共鳴取得の送信フェーズにおいて、陽子コイル４２を減結合させる。陽子コイル４２は、磁気共鳴取得の受信フェーズの間、１Ｈ共鳴周波数に同調される。従って、陽子コイル４２のトラップラジオ周波数回路１１０'は、トラップラジオ周波数回路１１０'を機能的なラジオ周波数回路１００'に選択的に結合するためのスイッチ１５０を有する、変更された第１の端部１２２'を有する。
【００３０】
スイッチ１５０は、内部導体１３０と直列接続されるＰＩＮスイッチングダイオード１５２及び関連するバイアス回路１５４を有する。ＰＩＮスイッチングダイオード１５２は、関連するキャパシタンスを有するので、キャパシタンス１２６'は、トラップラジオ周波数回路１１０'の共鳴周波数を規定するために、ＰＩＮダイオード１５２のキャパシタンスと直列に接続される。陽子コイル４２のオンボードコイル電子部品９０'は、スキャナコントローラ７４によって供給される制御信号に応じて、陽子ラジオ周波数受信器５０によって動作させられる制御回路を切り離すことを含む。この制御下において、バイアス回路１５４は、ラジオ周波数送信フェーズの間、機能的なラジオ周波数回路１００'を離調するために、トラップラジオ周波数回路１１０'及び機能的なラジオ周波数回路１００'を機能的に結合するために、ＰＩＮスイッチングダイオード１５２を直流バイアスして導通状態又はクローズド状態にする。受信フェーズの間、バイアス回路１５４は、トラップラジオ周波数回路１１０'及び機能的なラジオ周波数回路１００'を機能的に切り離すために、ＰＩＮスイッチングダイオード１５２をバイアスして非導通状態又はオープン状態にし、それによって、機能的なラジオ周波数回路１００'は、受信フェーズの間、１Ｈ磁気共鳴周波数において受信可能となる。代替例として、バイアス回路は、励起パルスによって引き起こされる電流に応じて、ＰＩＮダイオードを導通状態にバイアスすることができる。
【００３１】
上述されたコイル４０、４２は、双方とも表面コイルである。しかしながら、開示されるトラップラジオ周波数回路は、例えば頭部コイル、腕部コイル等の他のタイプの局所コイルとともに実現されることもできる。バードケージタイプの頭部コイルの場合、例えば、トラップラジオ周波数回路の同軸伝送線路素子は、頭部コイルのラングの１つに沿って配置されることができる。更に、２以上のトラップラジオ周波数回路が、単一のラジオ周波数コイルに含められることもできる。このようなそれぞれ異なるトラップは、それぞれ異なる周波数を阻止するように同調されることができ、又はトラップされた周波数の改善された阻止を提供するために同じ周波数に同調されることができる。
【００３２】
本発明は、好適な実施例を参照して記述される。明らかに、当業者であれば、変更及び変形が、前述の詳細な説明を読み理解することにより思い付くであろう。本発明は、すべてのこのような変更及び変形が添付の特許請求の範囲又はそれと等価なものの範囲内にある限り、すべてのこのような変更及び変形を含むものとして解釈されるべきであることが意図される。
【図面の簡単な説明】
【００３３】
【図１】伝送線路に基づくトラップを有するラジオ周波数コイルを用いる例示の磁気共鳴装置を概略的に示す図。
【図２】伝送線路に基づくトラップを有する内部素子を明らかにするためにハウジングカバーが取り除かれた状態の、図１の伝送線路に基づくトラップを有するリン用ラジオ周波数コイルの概略平面図。
【図３】図２のコイルの概略的な電気回路図。
【図４】スイッチ切り替え可能な離調回路として働く伝送線路に基づくトラップを有する、図１の陽子用ラジオ周波数コイルの概略的な電気回路図。
【図１】
2009508555.tif 000003
【図２】
2009508555.tif 000004
【図３】
2009508555.tif 000005
【図４】
2009508555.tif 000006
【国際調査報告】
2009508555.tif 000007
2009508555.tif 000008
2009508555.tif 000009